(57)【特許請求の範囲】
【請求項１】
波長多重信号光を入力するラマン増幅媒体と、
該ラマン増幅媒体の後段にそなえられた希土類添加ファイバと、
該ラマン増幅媒体および該希土類添加ファイバの双方において該波長多重信号光に対する増幅作用を生じさせうる波長を含む、複数波長の励起光を出力しうる第１励起光出力部と、
該第１励起光出力部にて出力された複数波長の励起光を、該ラマン増幅媒体および該希土類添加ファイバへ波長毎に可変の分配比率で分配しうる可変分配素子と、
該波長多重信号光に波長多重された各信号光の波長配置に応じて、該可変分配素子での該波長毎の分配比率および該第１励起光出力部からの該複数波長の励起光のパワーを、それぞれ個別に制御する制御部と、
をそなえて構成されたことを特徴とする、光増幅器。
【請求項２】
該ラマン増幅媒体および希土類添加ファイバがこの順番で接続されたことを特徴とする、請求項1記載の光増幅器。
【請求項３】
該ラマン増幅媒体を分散補償ファイバとして、集中定数型のラマン増幅を行なうように構成されたことを特徴とする、請求項１記載の光増幅器。
【請求項４】
該ラマン増幅媒体を伝送路ファイバとして、分布定数型のラマン増幅を行なうように構成されたことを特徴とする、請求項１記載の光増幅器。
【請求項５】
該第１励起光出力部とは別に該希土類添加ファイバを励起するための第２励起光出力部をそなえたことを特徴とする、請求項１記載の光増幅器。
【請求項６】
該制御部が、該可変分配素子における分配比を制御する分配比制御部と、該第１励起光出力部から出力される励起光パワーを制御する励起制御部とを備え、
該分配比制御部および該励起制御部は、該波長多重信号光に波長多重された各信号光の波長に応じて制御されることを特徴とする、請求項１〜５のいずれか１項記載の光増幅器。
【請求項７】
入力側光伝送路および出力側光伝送路に接続され波長多重光を中継する光増幅中継器であって、
希土類添加ファイバと、
該入力側光伝送路および該希土類添加ファイバの双方において該波長多重信号光に対する増幅作用を生じさせうる波長を含む、複数波長の励起光を出力しうる第１励起光出力部と、
該励起光を、該入力側光伝送路および該希土類添加ファイバへ、可変の分配比で分配しうる可変分配素子と、
該波長多重信号光に波長多重された各信号光の波長配置に応じて、該可変分配素子での該複数波長の励起光の分配比率および該第１励起光出力部からの該複数波長の励起光のパワーを、それぞれ個別に制御する制御部と、
をそなえて構成されたことを特徴とする、光増幅中継器。
【請求項８】
波長多重光信号を入力するラマン増幅媒体と、該ラマン増幅媒体の後段にそなえられた希土類添加ファイバと、該ラマン増幅媒体および該希土類添加ファイバ双方において該波長多重信号光に対する増幅作用を生じさせうる波長を含む、複数波長の励起光を出力しうる第１励起光出力部と、該第１励起光出力部にて出力された複数波長の励起光を、該ラマン増幅媒体および該希土類添加ファイバへ波長毎に可変の分配比率で分配しうる可変分配素
子と、該第１励起光出力部とは別に該希土類添加ファイバを励起する第２励起光出力部と、をそなえてなる光増幅器における励起光供給制御方法であって、
該光増幅器の立ち上げ時においては、該波長多重信号光に波長多重された各信号光の波長配置に応じて、該第１励起光出力部からの励起光を該ラマン増幅媒体に集中して供給するように、該可変分配素子での分配比を設定したのち、
該ラマン増幅媒体からの出力を、制御目標となるラマン増幅出力のレベルを得ることができるように、かつ励起光スペクトルが不安定化しないことを指標として設定された下限値以上となるように、該第１励起光出力部での励起光パワーとともに該可変分配素子の分配比を制御し、
該光増幅器からの出力信号光のレベルが、当該光増幅器全体としての目標出力レベルとなるように、該第２励起光出力部からの励起光を該希土類ドープファイバに供給するとともに、該第１励起光出力部での励起光パワーとともに該可変分配素子の分配比を制御することを特徴とする、励起光供給制御方法。
【請求項９】
該光増幅器全体としての目標出力レベルを変更する際には、該光増幅器からの出力信号光のレベルが、該変更される目標出力レベルとなるように該第１励起光出力部での励起光パワーを変更制御し、
該第１励起光出力部での励起光パワーの変更によって変化する、該ラマン増幅媒体におけるラマン増幅出力を該制御目標となるラマン増幅出力とすべく、該可変分配素子での分配比を変更制御し、
該可変分配素子での分配比を変更制御することによる該希土類ドープファイバ増幅器の利得変化に起因した、出力信号光パワー波長特性の傾斜を平坦化すべく、該第１励起光出力部での励起光パワーとともに該可変分配素子の分配比を制御することを特徴とする、請求項８記載の励起光供給制御方法。
【発明の詳細な説明】
【技術分野】
【０００１】
本発明は、光伝送システムにおいて用いて好適の、光増幅器，光増幅中継器および励起光供給制御方法に関するものである。
【背景技術】
【０００２】
光増幅器は、光伝送システムにおいて光信号が光ファイバ伝送路を伝播する際の損失や光部品・光モジュールの損失を補償するために信号を直接光増幅するものであり、光増幅のための光ファイバ媒体および励起光を供給する手段を備えている。この励起光を供給する手段によって光増幅用光ファイバ媒体に所定の波長の励起光を供給し、光ファイバ媒体を活性状態にする。この活性状態の光ファイバ媒体に信号を入力すると、信号光は光増幅されて出力されるようになる。【０００３】
近年の光増幅中継伝送システムにおいては、光ファイバ増幅媒体としてエルビウムなどの希土類元素イオンを添加した希土類添加光ファイバ増幅器と、光ファイバのラマン誘導散乱特性を利用したラマン増幅器が適用されている。特に、波長多重（Wavelength Division Multiplexing；ＷＤＭ）伝送技術を適用した長距離大容量伝送システムにおいては、性能改善を目的としたラマン増幅技術が注目されており、ＥＤＦＡ（Erbium Doped Fiber Amplifier：エルビウム添加光ファイバ増幅器）に代表される希土類添加光ファイバ増幅器との組み合わせで光中継器が構成されることが多い。【０００４】
光増幅中継伝送システムにおける伝送路にあたる光ファイバや分散を補償する分散補償ファイバは、従来は単なる損失媒体であったが、数百mWのシングルモード出力可能な励起光源が実現されてきたことにより、OSNR特性の改善が期待されるラマン増幅器の導入が進められてきている。即ち、このラマン増幅器の増幅媒体には従来は損失媒体であった伝送路光ファイバや分散補償ファイバが用いられているので、伝送路におけるＯＳＮＲを実効的に改善することが期待できるのである。【０００５】
ラマン増幅は、石英系の光ファイバを増幅媒体として用いた場合、励起光周波数から約13.2THz低周波（励起波長が1.4um帯の場合は約100nm長波長）をピークとし、多くの場合非対称な光増幅帯域を有する。そして、異なる複数の波長の励起光を光ファイバに入射することにより光増幅帯域を重ね合わせ、波長に応じた出力光レベルの平坦性を確保して広帯域の信号光増幅も期待できる。【０００６】
実際の光増幅中継伝送システムにおける光増幅中継器では、伝送路を増幅媒体とし、励起波長数を２〜３波入射することでおよそ30nmのＥＤＦＡと同じ帯域幅を実現したDistributed RamanAmplifier（ＤＲＡ）とＥＤＦＡとを組み合わせる増幅中継器の構成や、分散補償ファイバをラマン増幅するDispersionCompensation Fiber Raman Amplifier（ＤＣＦＲＡ）などの構成が報告されている（特許文献１参照）。【０００７】
このように、ラマン増幅器は増幅帯域となる波長帯域の広帯域化のために多数の励起波長を実装する構成が主流となっている。このため光増幅中継器はＥＤＦＡの励起光源にさらにラマン用の励起光源を加えることになり、励起光源のための消費電力が増大し、また熱放出のためのヒートシンクにより実装面積が増大する傾向にある。このため、光増幅器としては、励起光源の低消費電力化が求められる。【０００８】
また、陸上の光伝送システムの伝送距離や伝送路損失はばらつきがあり、光増幅中継器に入力される信号レベルは伝送スパン毎に異なる。光増幅器の設計にあたり、このような信号入力レベルの範囲に応じて出力波長の平坦性を保つような光増幅器を設計することは、大量の光増幅器メニューが発生することになり、管理コスト、在庫増大などの問題が生じるため好ましくない。このため、光増幅器は、出力波長の平坦性を保ちながら、広い信号入力パワーダイナミックレンジを要求されることが多い。【０００９】
特に、ラマン増幅器においては、光信号間のラマン効果により入力光信号の波長配置に依存してチルト特性が大きく変化するので、上述のように複数波長の励起光を適用するラマン増幅を行なうにあたっては、入力光信号の波長配置に応じて出力信号光波長の平坦性を保つようなパワー比で複数波長の励起光を供給する必要がある。ラマン増幅媒体の後段に希土類添加ファイバ増幅器が設ける場合には当該希土類添加ファイバ増幅器の出力のチルト特性についても考慮する必要がある。【００１０】
従来の光増幅器においては、上述の信号入力パワーダイナミックレンジを確保するために、一系統の励起光をファイバ増幅器およびラマン増幅器に供給しつつ、この励起光の分岐比および励起強度を制御して、ラマン利得を制御するものがある（特許文献２参照）。
その他、本願発明に関連する公知技術として、特許文献３，４に記載されたものもある。
【特許文献１】特開２０００−９８４３３号公報
【特許文献２】特開２００３−２８３０１９号公報
【特許文献３】特表２００４−５１１００４号公報
【特許文献４】特開平１１−８４４４０号公報
【発明の開示】
【発明が解決しようとする課題】
【００１１】
しかしながら、上述の特許文献２に記載されたものにおいては、ラマン増幅器としては複数波長の励起光の分岐比を個別に可変するものではないため、上述のごとき入力信号光の波長配置に応じて出力信号光の平坦性を確保することができない。
また、特許文献３，４に記載された技術のいずれも、上述の場合と同様に、入力信号光の波長配置に応じて出力信号光の平坦性を確保することができない。【００１２】
本発明は、このような課題に鑑み創案されたもので、入力信号光の波長配置に応じて出力信号光の平坦性を確保することを目的とする。
また、励起光利用の効率化を図ることを目的とする。
【課題を解決するための手段】
【００１３】
上記の目的を達成するために、本発明の光増幅器は、波長多重信号光を入力するラマン増幅媒体と、該ラマン増幅媒体の後段にそなえられた希土類添加ファイバと、該ラマン増幅媒体および該希土類添加ファイバの双方において該波長多重信号光に対する増幅作用を生じさせうる波長を含む、複数波長の励起光を出力しうる第１励起光出力部と、該第１励起光出力部にて出力された複数波長の励起光を、該ラマン増幅媒体および該希土類添加ファイバへ波長毎に可変の分配比率で分配しうる可変分配素子と、該波長多重信号光に波長多重された各信号光の波長配置に応じて、該可変分配素子での該波長毎の分配比率および該第１励起光出力部からの該複数波長の励起光のパワーを、それぞれ個別に制御する制御部と、をそなえて構成されたことを特徴としている。
【００１４】
また、上述の光増幅器においては、好ましくは、該ラマン増幅媒体および希土類添加ファイバがこの順番で接続される。【００１５】
さらに、該ラマン増幅媒体を分散補償ファイバとして、集中定数型のラマン増幅を行なったり、該ラマン増幅媒体を伝送路ファイバとして、分布定数型のラマン増幅を行なったりすることができる。
また、該第１励起光出力部とは別に該希土類添加ファイバを励起するための第２励起光出力部をそなえることとしてもよい。【００１６】
さらに、好ましくは、該制御部が、該可変分配素子における分配比を制御する分配比制御部と、該第１励起光出力部から出力される励起光パワーを制御する励起制御部とを備え、該分配比制御部および該励起制御部は、該波長多重信号光に波長多重された各信号光の波長に応じて制御されることとしてもよい。
また、本発明の光増幅中継器は、入力側光伝送路および出力側光伝送路に接続され波長多重光を中継する光増幅中継器であって、希土類添加ファイバと、該入力側光伝送路および該希土類添加ファイバの双方において該波長多重信号光に対する増幅作用を生じさせうる波長を含む、複数波長の励起光を出力しうる第１励起光出力部と、該励起光を、該入力側光伝送路および該希土類添加ファイバへ、可変の分配比で分配しうる可変分配素子と、該波長多重信号光に波長多重された各信号光の波長配置に応じて、該可変分配素子での該複数波長の励起光の分配比率および該第１励起光出力部からの該複数波長の励起光のパワーを、それぞれ個別に制御する制御部と、をそなえて構成されたことを特徴としている。【００１７】
さらに、本発明の励起光供給制御方法は、波長多重光信号を入力するラマン増幅媒体と、該ラマン増幅媒体の後段にそなえられた希土類添加ファイバと、該ラマン増幅媒体および該希土類添加ファイバ双方において該波長多重信号光に対する増幅作用を生じさせうる波長を含む、複数波長の励起光を出力しうる第１励起光出力部と、該第１励起光出力部にて出力された複数波長の励起光を、該ラマン増幅媒体および該希土類添加ファイバへ波長毎に可変の分配比率で分配しうる可変分配素子と、該第１励起光出力部とは別に該希土類添加ファイバを励起する第２励起光出力部と、をそなえてなる光増幅器における励起光供給制御方法であって、該光増幅器の立ち上げ時においては、該波長多重信号光に波長多重された各信号光の波長配置に応じて、該第１励起光出力部からの励起光を該ラマン増幅媒体に集中して供給するように、該可変分配素子での分配比を設定したのち、該ラマン増幅媒体からの出力を、制御目標となるラマン増幅出力のレベルを得ることができるように、かつ励起光スペクトルが不安定化しないことを指標として設定された下限値以上となるように、該第１励起光出力部での励起光パワーとともに該可変分配素子の分配比を制御し、該光増幅器からの出力信号光のレベルが、当該光増幅器全体としての目標出力レベルとなるように、該第２励起光出力部からの励起光を該希土類ドープファイバに供給するとともに、該第１励起光出力部での励起光パワーとともに該可変分配素子の分配比を制御することを特徴としている。
【００１８】
さらに、上述の励起光供給制御方法においては、該光増幅器全体としての目標出力レベルを変更する際には、該光増幅器からの出力信号光のレベルが、該変更される目標出力レベルとなるように該第１励起光出力部での励起光パワーを変更制御し、該第１励起光出力部での励起光パワーの変更によって変化する、該ラマン増幅媒体におけるラマン増幅出力を該制御目標となるラマン増幅出力とすべく、該可変分配素子での分配比を変更制御し、該可変分配素子での分配比を変更制御することによる該希土類ドープファイバ増幅器の利得変化に起因した、出力信号光パワー波長特性の傾斜を平坦化すべく、該第１励起光出力部での励起光パワーとともに該可変分配素子の分配比を制御することもできる。
【発明の効果】
【００１９】
このように、本発明によれば、第１励起光出力部および可変分配素子により、ラマン増幅媒体および希土類添加ファイバにおけるそれぞれの光増幅を行なうために、第１励起光出力部からの励起光を共用に用いながら、可変分配素子の分配比率を適切に調整することにより、入力信号光の波長配置に応じて出力信号光の平坦性を確保し、雑音特性を改善させながら光増幅器出力レベルないし光増幅器利得を制御することができる利点があるほか、励起光出力のために要する消費電力の効率化を図ることができる利点がある。
【図面の簡単な説明】
【００２０】
【図１】本発明の第１実施形態にかかる光増幅器を示す図である。
【図２】本発明の第１実施形態における可変分配素子の構成を示す図である。
【図３】第１実施形態にかかる光増幅器の立ち上げ動作を説明するためのフローチャートである。
【図４】（ａ）〜（ｄ）はいずれも、ラマン増幅利得を比較的大きくする場合の励起光供給動作を説明するための図である。
【図５】（ａ）〜（ｄ）はいずれも、ラマン増幅利得を比較的小さくする場合）の励起光供給動作を説明するための図である。
【図６】第１実施形態にかかる光増幅器において制御目標とする出力信号光のレベルを変更する場合の動作を説明するためのフローチャートである。
【図７】（ａ）〜（ｄ）はいずれも、光増幅器において制御目標とする出力信号光のレベルを変更する場合の動作を説明するための図である。
【図８】本発明の作用効果について説明する図である。
【図９】本発明の第２実施形態にかかる光増幅器を示す図である。
【符号の説明】
【００２１】
１    光増幅器
２    分散補償ファイバ（ラマン増幅媒体）
３    エルビウムドープ光ファイバ（希土類添加ファイバ）
４−１，４−２    第１，第２励起光出力部
４ａ，４ｂ    ＬＤ
５    可変分配素子
５ａ，５ｂ    パワー分配比率可変カプラ
５ｃ，５ｄ    およびＷＤＭカプラ
６ａ〜６ｄ    ＰＤ
７    励起制御回路（励起制御部）
８    分配比制御回路（分配比制御部）
９    アンプ出力設定回路
１０ａ〜１０ｃ    分岐カプラ
１１ａ〜１１ｃ    合波器
１２ａ〜１２ｄ    光アイソレータ
１３    波長フィルタ
２０    光増幅中継器
２２    伝送路ファイバ
２３    ＥＤＦ
２４−１，２４−２    第１，第２励起光出力部
２５    可変分配素子
２６ａ〜２６ｄ    ＰＤ
２７    励起制御回路（励起制御部）
２８    分配比制御回路（分配比制御部）
２９    アンプ出力設定回路
３０ａ〜３０ｃ    分岐カプラ
３１ａ〜３１ｃ    合波器
３２ａ〜３２ｃ    光アイソレータ
３３    波長フィルタ
３４    伝送路ファイバ
３５    光増幅器
４０    制御部
【発明を実施するための最良の形態】
【００２２】
以下、図面を参照することにより、本発明の実施の形態を説明する。なお、実施の形態は以下に示す実施例の形態に限るものではない。又、上述の本願発明の目的のほか、他の技術的課題，その技術的課題を解決する手段及びその作用効果についても、以下の実施の形態による開示によって明らかとなるものである。
（ａ）第１実施形態の説明
図１は本発明の第１実施形態にかかる光増幅器１を示す図である。この光増幅器１は、ラマン増幅媒体としての分散補償ファイバ（ＤＣＦ）２および希土類添加ファイバであるエルビウムドープ光ファイバ（ＥＤＦ）３が信号入力側からこの順番で縦続接続されるとともに、第１，第２励起光出力部４−１，４−２，可変分配素子５，ＰＤ（Photo Diode）６ａ〜６ｄ，励起制御回路（励起制御部）７，分配比制御回路（分配比制御部）８，アンプ出力設定回路９，分岐カプラ１０ａ〜１０ｃ，合波器１１ａ〜１１ｃ，光アイソレータ１２ａ〜１２ｄおよび波長フィルタ１３をそなえて構成されている。【００２３】
ここで、第１実施形態にかかる光増幅器１は、ＷＤＭ光伝送システムにおける光増幅中継器として適用しうるものであり、複数の励起波長からなる励起光を第１励起光出力部４−１で出力しＤＣＦ２に供給することにより、入力信号光についてラマン増幅するとともに、この第１励起光出力部４−１で出力された励起光の一部を、ＥＤＦ３の励起光としても用いる構成を持つものである。【００２４】
すなわち、光増幅器１は、ＤＣＦ２への励起光パワーの一部をＥＤＦ３の励起のために割り当てるべく、第１励起光出力部４−１からの各励起波長毎にパワー分配比率を設定可能である可変分配素子５をそなえている。
ここで、ＤＣＦ２は入力信号光としての波長多重信号光についての分散を補償するとともに、第１励起光出力部４−１からの励起光を後述の可変分配素子５および合波器１１ａを通じて供給されて、入力される信号光を（集中定数的に）ラマン増幅しうるラマン増幅媒体として機能する。又、ＥＤＦ３は、第１励起光出力部４−１から出力された励起光の一部を可変分配素子５および合波器１１ｃを通じて後方励起光として供給されるとともに、第２励起光出力部をなすＬＤ（Laser Diode）４−２からの光を前方励起光として合波器１１ｂを通じて供給されて、ＤＣＦ２でラマン増幅された信号光を増幅する。【００２５】
また、第１励起光出力部４−１は、ＤＣＦ２およびＥＤＦ３の双方に対して、入力波長多重信号光に対する増幅作用を生じさせうる波長を含む、複数波長の励起光を出力しうるものであって、第１実施形態においては、ラマン増幅の出力平坦性を保つため、発振波長λ１，λ２の異なる複数（例えば２つ）のＬＤからなる励起光源４ａ，４ｂをそなえるとともに、励起光源４ａ，４ｂで出力する光レベルをモニタするレベルモニタ４ｃをそなえて構成されている。【００２６】
なお、励起光源４ａ，４ｂから出力される励起光波長λ１，λ２はＤＣＦ２のラマン増幅とＥＤＦ３の励起の両方に用いるため、例えば1.55μｍ帯および1.58μｍ帯の信号波長帯域から約100nm程短波長側（即ち、1.45μｍ帯および1.48μｍ帯）の波長とすることができる。
そして、可変分配素子５は、この２つの励起光源４ａ，４ｂから出力された励起光を、各励起波長毎に設定されたパワー分配比率で分配するものであり、これにより、各励起波長について分配された励起光を、合波器１１ａを通じＤＣＦ２に供給するとともに合波器１１ｂを通じＥＤＦ３への後方励起光として供給することができるようになっている。更に、この可変分配素子５は、例えば後述の図２に示すような構成を有しており、第１励起光出力部４−１にて出力された励起光を、ＤＣＦ２およびＥＤＦ３への励起光として、可変の分配比で分配することができる。【００２７】
なお、図１に示す光増幅器１において、ＰＤ６ａは光増幅器１への入力信号光のレベルを分岐カプラ１０ａで分岐された光をもとにモニタするもので、ＰＤ６ｂは光増幅器１から出力される出力信号光のレベルを分岐カプラ１０ｃで分岐された光をもとにモニタするものである。
励起制御回路７は、励起光源４ａ，４ｂを駆動制御することにより、この励起光源４ａ，４ｂから出力される励起光Ｐλ１，Ｐλ２のパワーを制御するためのものである。第１実施形態にかかる励起制御回路７においては、ＰＤ６ａ，６ｂからのモニタ結果から得られるチルト特性が、波長多重信号光に波長多重された各信号光の波長配置に応じて定められた制御目標となるように、光増幅器１としての利得を、後述のアンプ出力設定回路９で設定される利得又はラマン増幅出力レベル（第１レベル）となるように一定に制御すべく励起光源４ａ，４ｂを制御することができるようになっている。【００２８】
また、ＰＤ６ｃ，６ｄは、ＤＣＦ２でラマン増幅された信号光レベルを波長帯毎にモニタするものである。例えば、ＰＤ６ｃは信号光波長帯を２分した場合の短波長側の信号光レベルをモニタするとともに、ＰＤ６ｄ信号光波長帯を２分した場合の長波長側の信号光レベルをモニタする。尚、分岐カプラ１０ｂはＤＣＦ２でラマン増幅された信号光の一部を分岐し、波長フィルタ１３は分岐カプラ１０ｂからの分岐光について信号光波長帯を２分した２つの信号光に分岐し、それぞれＰＤ６ｃ，６ｄに供給する。【００２９】
そして、分配比制御回路８は、上述のＰＤ６ｃ，６ｄにおけるモニタ結果をもとに、波長多重光信号のチャネル配置に基づきアンプ出力設定回路９で設定された波長利得特性（チルト情報）および目標となる出力信号レベル（第１レベル）をラマン増幅によって得られるように、可変分配素子５での上述の分配比率を可変制御するものである。
なお、アンプ出力設定回路９は、入力される波長多重信号光に波長多重された各信号光の波長配置に応じて分配比制御回路８および励起制御回路７での制御目標を与える制御目標付与部として機能するものである。即ち、分配比制御回路８および励起制御回路７は、波長多重信号光に波長多重された各信号光の波長に応じて制御されるのである。【００３０】
具体的には、アンプ出力設定回路９は、上述の励起制御回路７および分配比制御回路８での制御目標となるラマン出力信号レベル（第１レベル）および光増幅器出力としての制御目標レベル（第２レベル）を設定するとともに、上述の波長利得特性を設定する。この波長利得特性は、例えば上述のＷＤＭ光伝送システムにおける管理信号から得られる波長配置情報を元に決定することができる。即ち、この波長配置情報をもとに制御目標となる波長利得特性および可変分配素子５での分配比率も定まることになる。【００３１】
したがって、上述の励起制御回路７，分配比制御回路８およびアンプ出力設定回路９により、波長多重信号光に波長多重された各信号光の波長配置に応じて、可変分配素子５での２波長の励起光Ｐλ１，Ｐλ２の分配比率および第１励起光出力部４−１からの２波長の励起光Ｐλ１，Ｐλ２のパワーを、それぞれ個別に制御する制御部４０を構成する。
図２は可変分配素子５を示す図である。第１実施形態における可変分配素子５は、この図２に示すように、パワー分配比率可変カプラ５ａ，５ｂおよびＷＤＭカプラ５ｃ，５ｄをそなえて構成されている。パワー分配比率可変カプラ５ａは、ＬＤ4aからの励起光Ｐλ１を可変分配比率で２方路にパワー分配するものであり、パワー分配比率可変カプラ５ｂは、ＬＤ4bからの励起光Ｐλ２を可変分配比率で２方路にパワー分配するものである。【００３２】
たとえば、パワー分配比率可変カプラ５ａにおいては、分配比制御回路８からの制御を受けて、ＬＤ4aからの励起光Ｐλ１についてＤＣＦ２のラマン励起用に分配比率ａ（０≦ａ≦１）で分配するとともに、ＥＤＦ３の励起用に分配比率（１−ａ）で分配する。又、パワー分配比率可変カプラ５ｂにおいては、分配比制御回路８からの制御を受けて、ＬＤ4bからの励起光Ｐλ２について、ＤＣＦ２のラマン励起用に分配比率ｂ（０≦ｂ≦１）で分配するとともに、ＥＤＦ３の励起用に分配比率（１−ｂ）で分配する。【００３３】
さらに、ＷＤＭカプラ５ｃは、パワー分配比率可変カプラ５ａ，５ｂでＤＣＦ２の励起用に分配された励起光を合波し、励起光ａＰλ１＋ｂＰλ２として合波器１１ａに出力するものである。同様に、ＷＤＭカプラ５ｄは、パワー分配比率可変カプラ５ａ，５ｂでＥＤＦ３の励起用に分配された励起光を合波し、励起光（１−ａ）Ｐλ１＋（１−ｂ）Ｐλ２として合波器１１ｃに出力するものである。【００３４】
これにより、可変分配素子５は、パワー分配比率可変カプラ５ａ，５ｂにおいて、ＬＤ4a,4bから入力される各励起光パワーを分配比制御回路８の制御によって設定された比率に分岐し、ＷＤＭカプラ５ｃ，５ｄで異なる励起波長の光を合成することにより、ＤＣＦ２およびＥＤＦ３に供給する励起光を供給する機能を実現している。
上述の構成により、本発明の第１実施形態にかかる光増幅器１では、入力された信号光はＤＣＦ２でラマン増幅された後にＥＤＦ３において増幅され、出力信号光として出力される。このとき、分配比制御回路８では、ＰＤ６ｃ，６ｄからのモニタ結果をもとにして可変分配素子５を制御することにより、ＤＣＦ２から出力された信号光が、アンプ出力設定回路９で設定される波長毎の光レベルを有するようにしている。【００３５】
すなわち、分配比制御回路８では、ＤＣＦ２に供給すべき励起光をなす波長λ１の励起光パワーとともに波長λ２の励起光パワーを、可変分配素子５に対する分配比の制御を通じて設定することができるようになっており、これにより、入力される信号の波長配置に応じて、波長毎の光レベル（チルト情報）を、例えばほぼ平坦な特性となるように制御することができるのである。【００３６】
ここで、ＷＤＭ光伝送システムにおける光増幅中継器として、第１実施形態にかかる光増幅器１の立ち上げを開始するにあたっては、図３に示すフローチャートに示すようにＤＣＦ２およびＥＤＦ３に対して供給する励起光が設定される。これにより、上述の光増幅器１としての信号光出力の平坦性を保ちつつ、光増幅器１としての雑音指数をできるだけ低く抑えながら、光増幅中継器に求められる増幅機能を実現している。【００３７】
また、図４（ａ）〜図４（ｄ）は、ラマン増幅利得を比較的大きくする場合の励起光供給動作を説明するための図である。図４（ａ）はＤＣＦ２に対する励起光パワーＰｐのタイムチャート、図４（ｂ）はＥＤＦ３に対する励起光パワーＰｐのタイムチャート、図４（ｃ）は第１，第２励起光出力部４−１，４−２において出力する励起光パワーＰｐのタイムチャート、図４（ｄ）は可変分配素子５による分配比率変化を示すタイムチャートである。この図４（ａ）〜図４（ｄ）の場合のように、ＤＣＦ２のラマン増幅利得を比較的大きく設定する場合としては、例えばＤＣＦ２としての損失が比較的大きい場合や、入力信号光のレベルが比較的小さい場合などが考えられる。【００３８】
さらに、図５（ａ）〜図５（ｄ）は、ラマン増幅利得を比較的小さくする場合）の励起光供給動作を説明するための図である。図５（ａ）はＤＣＦ２に対する励起光パワーＰｐのタイムチャート、図５（ｂ）はＥＤＦ３に対する励起光パワーＰｐのタイムチャート、図５（ｃ）は第１，第２励起光出力部４−１，４−２において出力する励起光パワーＰｐのタイムチャート、図５（ｄ）は可変分配素子５による分配比率変化を示すタイムチャートである。この図５（ａ）〜図５（ｄ）の場合のように、ＤＣＦ２のラマン増幅利得を比較的小さく設定する場合としては、例えばＤＣＦ２としての損失が比較的小さい場合や、入力信号光のレベルが比較的小さい場合などが考えられる。【００３９】
まず、光増幅器１を立ち上げる際には、ＤＣＦ２からの出力を、制御目標となるラマン増幅出力のレベル（第１レベル）を得ることができるように、かつ励起光スペクトルが不安定化しないことを指標として設定された下限値以上となるように、第１励起光出力部４−１での励起光パワーとともに可変分配素子５の分配比を制御する（ステップＡ１〜Ａ５）。【００４０】
すなわち、可変分配素子５のパワー分配比率可変カプラ５ａ，５ｂによるＤＣＦ２への励起パワー分配比率ａ，ｂを、初期値としてともに「１」と設定しておく。即ち、初期値としては励起光源４ａ，４ｂから出力される励起光Ｐλ１，Ｐλ２のパワーが集中してＤＣＦ２に供給されるように分配比が設定されている（ステップＡ１）。
そして、信号光が光増幅器１に入力されている状態で、励起制御回路７によって励起光源４ａ，４ｂからの励起光パワーを立ち上げる。これにより、ＤＣＦ２では可変分配素子５および供給される励起光パワーによって入力信号光がラマン増幅される（ステップＡ２）。【００４１】
そして、目標となる第１レベルのラマン増幅出力とともに、波長に対して平坦化された光パワー特性が得られるように、分配比制御回路８によるパワー分配比率可変カプラ５ａ，５ｂにおける分配比制御と、励起制御回路７による励起光源４ａ，４ｂに対する駆動制御とが協働して行なわれる。尚、この波長に対する信号パワー特性の平坦化には、特開２００２−７２２６２号公報に記載されている、波長に対するラマン増幅器出力の信号パワー特性の平坦化技術を用いることができる。【００４２】
このとき、励起制御回路７では、ラマン増幅された光信号が、アンプ出力設定回路９で設定された第１レベルを目標レベルとなるように励起光源４ａ，４ｂを駆動制御している。尚、励起光源４ａ，４ｂはともに同一パワーの光出力となるように駆動させる〔図４（ｃ）又は図５（ｃ）の時点ｔ０〜ｔ１参照〕。又、第１レベルは、ＤＣＦ２でのラマン増幅によって得るべき目標となる出力信号レベルである。【００４３】
そして、分配比制御回路８においては、併せてＰＤ６ｃ，６ｄからのモニタ結果をもとに、ＤＣＦ２によるラマン増幅によって信号パワー波長特性が平坦化するように、パワー分配比率可変カプラ５ａ，５ｂにおける分配比率を制御することができる〔ステップＡ３，図４（ｄ）又は図５（ｄ）の時点ｔ０〜ｔ１参照〕。
これにより、図４（ｃ）又は図５（ｃ）の時点ｔ０〜ｔ１に示すような励起光パワーが第１励起光出力部４−１から出力される場合においても、可変分配素子５による励起光の分配によって、ＤＣＦ２には図４（ａ）又は図５（ａ）の時点ｔ０〜ｔ１に示すパワーの励起光が供給され、ＥＤＦ３には図４（ｂ）又は図５（ｂ）の時点ｔ０〜ｔ１に示すパワーの励起光が供給される。【００４４】
そして、分配比制御回路８では、このようにラマン増幅によって得るべき出力信号レベルが得られた状態において、励起光源４ａ，４ｂから出力されている励起光レベルが、波形が不安定化しないことを指標として設定された下限値以上の値か否かを、第１励起光出力部４−１に設けられているレベルモニタ４ｃからの値で判定する（ステップＡ４）。
このとき、励起光源４ａ，４ｂから出力されている励起光レベル下限値以下の値である場合には、分配比制御回路８では、パワー分配比率可変カプラ５ａ，５ｂでの分配比を変更制御して、ＥＤＦ３に励起パワーを配分する。換言すれば、分配比率ａ，ｂの値を小さくすることにより、ＤＣＦ２へ分配される励起パワーを小さくする（ステップＡ４のＮｏルートからステップＡ５）。励起制御回路７では、この分配比率の変更によってもＤＣＦ２によるラマン増幅によって第１出力信号レベルを維持することができるように、励起光源４ａ，４ｂにおける励起パワーを更に増大制御する（ステップＡ５からステップＡ３）。【００４５】
このようにして、励起光源４ａ，４ｂから出力される励起光パワーを上述の下限値よりも大きくなるまで、ステップＡ５，Ａ３での制御を繰り返す〔図５（ｃ）の時点ｔ０〜ｔ１参照〕。これにより、励起光源４ａ，４ｂから出力される励起光パワーを上述の下限値以上の安定出力レベルとしながら、目標とするラマン増幅出力を得ることができようになる〔ステップＡ４のＹｅｓルート、図５（ｃ）の時点ｔ１参照）。【００４６】
すなわち、この図５（ａ）〜図５（ｄ）の場合のように、目標の光出力パワーを得るのに必要なラマン増幅利得が比較的低くなる場合において、ＤＣＦ２への励起光の分配比率が比較的高いと、目標光出力パワーがステップＡ３で得られたとしても、励起光源４ａ，４ｂからの励起光パワー自体が下限値を下回る場合もある。従って、ステップＡ５のように、分配比率ａ，ｂを低く変更（この場合にはａ，ｂとも同様の変更量）してから、再度目標のラマン増幅出力が得られるように励起光源４ａ，４ｂからの励起光パワーを増大させるようにする。【００４７】
前述したように、ラマン増幅器は増幅媒体に入射する多波の励起光パワーを調整して信号出力波長特性の平坦性を保ちながら平均出力レベルを変えることが可能であるが、励起光源が出力する励起光の光パワーの閾値付近では、励起波長が不安定となることがあり、それに伴いラマン増幅特性の不安定性を招く。
ステップＡ１〜ステップＡ５において、励起光パワー制御と協働してパワー分配比可変カプラ５ａ，５ｂの分配比を制御することにより、波長が不安定化しない下限値よりも高パワーの領域で励起光を出力しながら、目標レベルのラマン増幅出力を得ることができるので、前述のごとき励起光パワーに対する下限値による制限をなくすことができるのである。【００４８】
上述のごとく励起光源４ａ，４ｂからの出力を安定出力状態としながら、目標とするラマン増幅出力が得られると（ステップＡ４のＹｅｓルート）、次いで、光増幅器１からの出力信号光のレベルが、当該光増幅器１全体としての目標出力レベル（第２レベル）となるように、第２励起光出力部４−２からの励起光をＥＤＦ３に供給するとともに、第１励起光出力部４−１での励起光パワーとともに可変分配素子５の分配比を制御する（ステップＡ６〜ステップＡ１０）。【００４９】
具体的には、励起制御回路７によって、第２励起光出力部４−２を駆動制御することにより、ＥＤＦ３に対する前方励起光を立ち上げて（ステップＡ６）、当該第２励起光出力部４−２から出力される励起光レベルが上限の励起パワーリミットとなるまで光レベルを増大させる〔ステップＡ８のＹｅｓルートからステップＡ６、図４（ｂ）又は図５（ｂ）の時点ｔ１〜ｔ２参照〕。尚、この前方励起光の立ち上げ時においては、第１励起光出力部４−１から出力する励起光パワーや、可変分配素子５での分配比率の設定は一定である〔図４（ａ）〜図４（ｄ）又は図５（ａ）〜図５（ｄ）の時点ｔ１〜ｔ２参照〕。【００５０】
このとき、第２励起光出力部４−２での励起光の出力レベルが上限に到達する前に、ＥＤＦ３からの出力光信号レベルが目標値となる第２レベルとなった場合には、光増幅中継器としての立ち上げを完了する（ステップＡ７のＹｅｓルート）。これにより、以後はパワー分配比率可変カプラ５ａ，５ｂでの分配比率および励起光源４ａ，４ｂでの出力レベル並びに第２励起光出力部４−２での励起光出力レベルが固定され、安定的に第２レベルの出力光信号を出力することができるようになる。【００５１】
一方、第２励起光出力部４−２での励起光の出力レベルが上限レベルとなった場合においても、ＥＤＦ３からの出力光信号レベルが目標値となる第２レベルとならなかった場合には、分岐比制御回路８により、パワー分配比率可変カプラ５ａ，５ｂでの分配比率を（ほぼ）同一比率で変更することにより、ＥＤＦ３に後方励起光として供給される光を増加させる〔ステップＡ７のＮｏルート，ステップＡ８のＮｏルートからステップＡ６、図４（ａ）〜図４（ｄ）又は図５（ａ）〜図５（ｄ）の時点ｔ２〜ｔ３参照〕。【００５２】
なお、この場合においても、ＤＣＦ２へ供給すべき励起光が少なくなるような分配比率の変更が行なわれたことになるが、励起制御回路７により、ＤＣＦ２によるラマン増幅によって第１出力信号レベルを維持することができるように、励起光源４ａ，４ｂにおける励起パワーを更に増大制御している（ステップＡ９）。
なお、上述の分配比率の変更は、ラマン増幅出力を一定とする制御が十分追従できるような一定割合で変更することとし、このラマン増幅出力を第１レベルとしながら、光増幅器１出力のレベルを目標値となる第２レベルとなるまで、順次分配比率を変更して、ＥＤＦ３に供給する励起光パワーを増大させる（ステップＡ９のＮｏルートからステップＡ１０）。【００５３】
このようにして、ＥＤＦ３からの出力光信号レベルが目標値となる第２レベルとなった場合には、光増幅中継器としての立ち上げを完了する〔ステップＡ１０のＹｅｓルート、図４（ａ）〜図４（ｄ）又は図５（ａ）〜図５（ｄ）の時点ｔ３参照〕。これにより、以後はパワー分配比率可変カプラ５ａ，５ｂでの分配比率および励起光源４ａ，４ｂでの出力レベル並びに第２励起光出力部４−２での励起光出力レベルが固定され、安定的に第２レベルの出力光信号を出力することができるようになる。【００５４】
また、上述のごとく安定的な第２レベルの出力信号光を出力するように光増幅器１が動作している状態において、制御目標とする出力信号光のレベル、即ち第２レベルの値を変更する場合には、光増幅器１においては図６のフローチャートに示すように励起光の供給が制御される。尚、図７（ａ）〜図７（ｄ）は、この制御目標とする出力信号光レベルを変更した場合の励起光供給制御を説明するための図である。【００５５】
光増幅器１全体としての目標出力レベルを変更する際には、まず、光増幅器１からの出力信号光のレベルが、変更される目標出力レベルとなるように第１励起光出力部４−１での励起光パワーを変更制御する（ステップＢ１〜ステップＢ３）。
すなわち、アンプ出力設定回路９で設定される、上述の制御目標とする出力信号光のレベルを変更する。この場合においては、光増幅器１としての制御目標利得を所望の出力光信号レベルが得られるように変更する（ステップＢ１）。即ち、出力光信号レベルを増大させるのであれば利得を増加させ、減少させるのであれば利得を低減させる。【００５６】
なお、ＤＣＦ２をラマン増幅する利得（ＤＣＦＲＡの利得）については、上述の光増幅器１としての制御目標利得が変更された場合においても、立ち上げ完了時の設定から変更しないようにし、ＥＤＦＡとしてＥＤＦ３で信号光を増幅する利得の増減によって、制御目標の出力信号光レベルの変更に対応する。
具体的には、光増幅器１に入力された光信号のレベルダイヤグラムが、ＤＣＦ２およびＥＤＦ３を通じて図７（ａ）に示すようになっている場合においては、制御目標となる出力信号光レベルは図７（ａ）におけるＰ１である。このＰ１の値を減少させ、例えばＰ２とする場合には、第１に、励起制御回路７による励起光源４ａ，４ｂからの励起光パワーの変更制御を行なって、出力信号光レベルがＰ２となるようにする。【００５７】
すなわち、励起制御回路７により、出力信号レベルがＰ２となるまで（この場合においては光増幅器１利得が、変更された制御目標利得となるまで）、所定単位量ずつ励起光源４ａ，４ｂからの励起光パワーを変更（減少）させる（ステップＢ２およびＢ３のＮｏルートからなる制御ループ）。
ついで、第１励起光出力部４−１での励起光パワーの変更によって変化する、ＤＣＦ２におけるラマン増幅出力を制御目標となるラマン増幅出力（第１レベル）とすべく、可変分配素子５での分配比を変更制御する（ステップＢ４のＮｏルート，ステップＢ５およびステップＢ６からなる制御ループ）。【００５８】
すなわち、ステップＢ３において励起光パワーを変更した時点では、可変分配素子５での分配比については変更制御を受けていないので、図７（ｂ）に示すように、一時的にラマン増幅出力のレベルについても、当初の設定レベルＰ３からＰ４に変化（低減）している。
励起制御回路７による制御によって励起光源４ａ，４ｂでの励起光パワーが減少して、光増幅器１の出力信号レベルが上述のＰ２となると、次いで、出力信号光レベルはＰ２のまま維持させながら、ＤＣＦ２におけるラマン増幅利得（又はＤＣＦ２出力）がもとの設定レベルＰ３となるように、分配比制御回路８において可変分配素子５での分配比を制御する〔ステップＢ４〜Ｂ６、図７（ｃ）参照〕。このとき、ＤＣＦ２におけるラマン増幅利得を変更しているのに伴って、光増幅器１全体としての利得が一定に保たれるように、ＥＤＦ３での利得も分岐比率の変更により低減される。【００５９】
なお、この場合においても、分岐比制御回路８においては、ＤＣＦ２におけるラマン増幅利得（又はＤＣＦ２出力）がもとの設定レベルＰ３となるまで、所定単位量ずつ繰り返して分岐比ａ，ｂを増加制御させることになる。
ついで、可変分配素子５での分配比を変更制御することによるＥＤＦ３の利得変化に起因した、出力信号光パワー波長特性の傾斜を平坦化すべく、第１励起光出力部４−１での励起光パワーとともに可変分配素子５の分配比を制御する（ステップＢ７〜ステップＢ１０）。【００６０】
すなわち、光増幅器１全体としての利得が変更制御され、ＤＣＦ２としてのラマン増幅利得が変更前の状態となると、次いで、ＥＤＦ３の利得が変わったことになるので、図７（ｄ）に点線で例示するように、光増幅器１の出力信号光パワー波長特性（波長毎の出力信号光パワーの特性）に傾斜が生じる。この傾斜を補償するために、分岐比制御回路８において分岐比ａ，ｂ（即ち１−ａ，１−ｂ）を調整することにより、図７（ｄ）に実線で示すように、波長毎の出力信号光パワーを平坦にする。即ち、ＤＣＦＲＡ（ＤＣＦ２）としてのチルト特性が、ＥＤＦＡ（ＥＤＦ３）のチルト特性を相殺する〔ＤＣＦＲＡ出力チルト＝−ＥＤＦＡチルト〕ようにする（ステップＢ８）。【００６１】
なお、このＥＤＦ３の利得変化に起因した出力信号光パワー波長特性の傾斜は、ＥＤＦ３の特性として予め求められている、信号出力パワーとＥＤＦＡで生じるチルトとの関係式から算出することとする。
このとき、上述の分岐比の調整によって、光増幅器１全体としての利得が変化した場合には、励起光源４ａ，４ｂからの励起光パワーを励起制御回路７で変更制御することにより、光増幅器１からの出力信号光レベルを一定レベルＰ２に保つように制御する（ステップＢ９）。以後、ＥＤＦ３の利得変化に起因した、出力信号光パワー波長特性の傾斜が平坦化し、かつ光増幅器１全体としての利得が一定レベルＰ２に保たれるまで、第１励起光出力部４−１での励起光パワーとともに可変分配素子５の分配比を制御する（ステップＢ７のＮｏルート，ステップＢ８，ステップＢ９からなる制御ループ）。【００６２】
これにより、アンプ出力設定回路９において、目標とする光増幅器１として利得（又は出力信号光レベル）を変更した場合においても、励起制御回路７および分配比制御回路８における協働した制御によって、変更された出力信号光レベルとしながら、ＤＣＦ２でのラマン増幅出力レベルを第１レベルに追従するように制御し、かつ出力信号光パワー波長特性についても平坦となるようにすることができる（ステップＢ７のＹｅｓルートからステップＢ１０）。【００６３】
このように、本発明の第１実施形態にかかる光増幅器１によれば、第１励起光出力部４−１および可変分配素子５により、ＤＣＦ２およびＥＤＦ３におけるそれぞれの光増幅を行なうために、第１励起光出力部４−１からの励起光を共用に用いながら、制御部４０により、波長多重信号光のチャネル配置に応じて、可変分配素子５の分配比率を適切に調整することにより、雑音特性を改善させながら光増幅器出力レベルないし光増幅器利得を制御することができる利点がある。【００６４】
また、ＤＣＦ２によるラマン増幅においては、入力される信号光のチャネル数及びチャネル配置により、必要となる励起波長のパワー比が大きく異なるが、あらゆるチャネル数に対応できるように各励起波長がパワーに余裕をもたせるとともに、この余裕分をＥＤＦＡのための励起光として共用することにより、入力される信号光のチャネル数及びチャネル配置に応じて、励起光出力のために要する消費電力を効率的に利用して、光増幅器全体として消費電力を低減させることができる利点もある。【００６５】
さらに、従来技術では、入力ダイナミックレンジをＥＤＦＡに内包しているＶＯＡで吸収していた。本発明によれば、励起制御回路７および分配比制御回路８により、ＥＤＦＡ自体の利得制御とラマン増幅のための励起パワー調整を行なうことによって、利得平坦性を確保しながら、上述の入力ダイナミックレンジを吸収することができ（即ち入力信号光レベルの変動に対応することができ）、入力ダイナミックレンジを吸収するために必要であったＶＯＡが不要になることから、従来構成に比べ雑音特性を改善させることができる。例えば、図８に示すように、チャネルあたりの出力パワーに対する雑音指数（ＮＦ）を、従来構成の場合に比して大幅に低減させることができる。【００６６】
また、ＶＯＡを内包する従来構成で出力平坦性を保ったままＥＤＦＡの信号出力パワーを調整する（下げる）には、ＶＯＡに損失余裕を持たせる必要があり、雑音特性を劣化させる要因となっていた。本発明ではＥＤＦＡ自体の利得を変化させるとともに、ラマン増幅器で出力平坦性を補償することができるので、雑音特性の劣化を生じることなく信号出力を変化させることが可能である。【００６７】
特に、1450nm以上の波長をラマン励起光波長とするL-bandシステムでは利得効率の面において高効率でラマン増幅器とEDFAの励起光共用が可能であり、低消費電力化および低雑音化に一層資する。
（ｂ）第２実施形態の説明
図９は本発明の第２実施形態にかかる光増幅中継器２０を示す図である。この図９に示す光増幅中継器２０は、入力側伝送路である伝送路ファイバ２２および出力側伝送路である伝送路ファイバ３４に接続され波長多重光を中継するものであって、前述の第１実施形態における光増幅器１における符号３〜９，１０ａ〜１０ｃ，１１ａ〜１１ｃ，１３で示した構成要素に相当する、ＥＤＦ２３，第１，第２励起光出力部２４−１，２４−２，ＬＤ２４ａ，２４ｂ，レベルモニタ２４ｃ，可変分配素子２５，ＰＤ２６ａ〜２６ｄ，励起制御回路（励起制御部）２７，分配比制御回路（分配比制御部）２８，アンプ出力設定回路２９，分岐カプラ３０ａ〜３０ｃ，合波器３１ａ〜３１ｃおよび波長フィルタ３３をそなえるとともに、光アイソレータ３２ａ〜３２ｃをそなえて構成されている。換言すれば、ラマン増幅される光伝送路ファイバ２１と、光増幅中継器２０と、により光増幅器３５を構成することとなる。【００６８】
また、上述の励起制御回路２７，分配比制御回路２８およびアンプ出力設定回路２９により、第１実施形態の場合と同様の制御部４０を構成する。
これにより、信号光は伝送路の左端から入力され、分布定数的に伝送路ファイバ２２を増幅媒体として分布ラマン増幅するとともに、ＥＤＦ３をＥＤＦＡとして光増幅して、出力側の伝送路ファイバ３４に出力することで光信号を中継することができるようになっている。【００６９】
このように構成された光増幅器３０においても、前述の第１実施形態の場合と同様に、第１励起光出力部２４−１により、伝送路ファイバ２２でのラマン増幅用の励起光とＥＤＦ２３による増幅のための励起光とを共用するとともに、制御部４０により、波長多重信号光に波長多重された各信号光の波長配置に応じて、第１励起光出力部２４−１から出力される励起光を伝送路ファイバ２２およびＥＤＦ２３に対して供給制御することができるので、前述の第１実施形態の場合と同様の利点を得ることができる。【００７０】
（ｃ）その他
なお、上述した実施形態に関わらず、本発明の趣旨を逸脱しない範囲で種々変形して実施することができる。
なお、本発明の各実施形態が開示されていれば、当業者によって本発明にかかる装置を製造することが可能である。
【図１】
0004399496.tif 000002
【図２】
0004399496.tif 000003
【図３】
0004399496.tif 000004
【図４】
0004399496.tif 000005
【図５】
0004399496.tif 000006
【図６】
0004399496.tif 000007
【図７】
0004399496.tif 000008
【図８】
0004399496.tif 000009
【図９】
0004399496.tif 000010